(57)【要約】【課題】  トンネル工事等に伴い設置する電気仮設備に対応して、迅速かつ的確に設計及び工事費積算を行うことができる工事用電気仮設備の設計及び工事費積算システムを提供する。【解決手段】  工事用電気仮設備の設計実績に関するデータを系統別、数値別に分類して格納した設計マニュアルデータベース３１と、工事用電気仮設備の工事費に関するデータを系統別、数値別に分類して格納した工事費積算データベース３２と、設計積算データベース３３とを備える。入力手段２１により、諸条件を入力すると、設計積算手段２２により、設計マニュアルデータベース３１及び前記工事費積算データベース３２を参照し、工事用電気仮設備の設計を行って工事費を積算する。設計積算手段２２により設計積算された工事用電気仮設備に関するデータは、出力手段２３により出力されるとともに、設計積算データベース３３に格納される。【選択図】  図１
2007034346.tif 000002
【特許請求の範囲】
【請求項１】
工事用電気仮設備の設計及び工事費積算を行うシステムであって、
工事用電気仮設備の設計実績に関するデータを系統別、数値別に分類して格納した設計マニュアルデータベース（３１）と、
工事用電気仮設備の工事費に関するデータを系統別、数値別に分類して格納した工事費積算データベース（３２）と、
工事対象となる工事用電気仮設備に関する諸条件を入力する入力手段（２１）と、
前記入力手段（２１）により入力された諸条件に基づいて、前記設計マニュアルデータベース（３１）及び前記工事費積算データベース（３２）を参照し、工事用電気仮設備の設計を行って工事費を積算する設計積算手段（２２）と、
前記設計積算手段（２２）により設計積算された工事用電気仮設備に関するデータを出力する出力手段（２３）と、を備えたことを特徴とする工事用電気仮設備の設計及び工事費積算システム。
【請求項２】
前記設計積算手段（２２）により設計積算された工事用電気仮設備に関するデータを格納する設計積算データベース（３３）を備えたことを特徴とする請求項１に記載の工事用電気仮設備の設計及び工事費積算システム。
【請求項３】
前記設計マニュアルデータベース（３１）には、少なくとも、負荷リスト集計、負荷曲線、変圧器容量、配線系統図、電気工事諸元、受電引込設備、受電設備、配電設備、照明設備、通信設備、配線系統図に関するデータがそれぞれ分類して格納され、
前記工事費積算データベース（３２）には、少なくとも、機器・材料、単価に関するデータがそれぞれ分類して格納されていることを特徴とする請求項１又は２に記載の工事用電気仮設備の設計及び工事費積算システム。
【請求項４】
前記入力手段（２１）により入力される諸条件は、工事用電気仮設備に関するスケジュールデータを含み、
前記設計積算手段（２２）は、前記スケジュールデータに基づき、工事進行に伴い必要となる機材のみを対象として工事用電気仮設備の設計積算を行うことを特徴とする請求項１乃至３のいずれか１項に記載の工事用電気仮設備の設計及び工事費積算システム。
【請求項５】
前記入力手段（２１）により入力される諸条件は、工事用電気仮設備に関するＣＡＤデータを含み、
前記設計積算手段（２２）は、前記ＣＡＤデータに基づき、工事用電気仮設備の設計積算を行うことを特徴とする請求項１乃至４のいずれか１項に記載の工事用電気仮設備の設計及び工事費積算システム。
【請求項６】
前記設計積算手段（２２）により設計積算された工事用電気仮設備に関するデータと、前記設計マニュアルデータベース（３１）に格納された過去の設計実績に関するデータとを比較し、工事に必要な機器、備品等の設備の選定漏れを確認する選定設備確認手段（４１）を備えたことを特徴とする請求項１乃至５のいずれか１項記載の工事用電気仮設備の設計及び工事費積算システム。
【発明の詳細な説明】
【技術分野】
【０００１】
本発明は、工事用電気仮設備の設計及び工事費積算システムに係り、特に一般的な土木工事とは相違した電気仮設備が必要となるトンネル工事に好適に用いることが可能な工事用電気仮設備の設計及び工事費積算システムに関するものである。
【背景技術】
【０００２】
従来より、トンネル工事等を行う場合には、照明設備、換気設備、排水設備等の電気仮設備を設置する必要があり、安全かつ適切にトンネル工事を行うために、これらの電気仮設備に関して、予め必要となる工事費を積算して見積もりを行っていた。
【０００３】
しかし、トンネル工事等には様々な態様があり、必要となる電気仮設備も異なるものとなるため、電気仮設備の設計及び工事費積算を行う場合には、熟練した設計者が、電気仮設備の設置に伴う各種の調達材料や消耗品の価格、保険料率、および機械損料等を的確に把握して計算を行う必要があり、これを手作業で行った場合には作業が繁雑となって作業効率が悪いという問題があった。
【０００４】
また、手作業で工事費の積算作業を行うと、必要項目を見落としたり、計算ミスを犯したりすることも考えられ、この場合には適切かつ安全な工事を行うことができない。特に、経験の浅い設計者が電気仮設備の設計及び工事費積算を行った場合には、適切かつ安全な工事を行うために、熟練した設計者の再チェックが必要となり、設計及び工事費積算に長時間を要するとともにコストが増加するという問題があった。
【０００５】
ところで、特許文献１の特開２０００−１３７７４８号「積算体系管理装置」に、公共事業等の土木工事において、コンピュータを用いて工事費積算を自動的に行う技術が種々提案されている。
この特許文献１に記載されている「積算体系管理装置」は、複数の単位積算体系モデルデータが格納されたデータベースを備え、このデータベースに格納された単位積算モデルデータに基づいて、特定の積算体系モデルを情報構造化体として自動生成しようとするものである。
【０００６】
【特許文献１】２０００−１３７７４８号公報
【発明の開示】
【発明が解決しようとする課題】
【０００７】
しかしながら、上記特許文献１に記載されている「積算体系管理装置」は、公共事業における土木工事を前提としたものであり、一般的な土木工事とは相違するトンネル工事に伴う電気仮設備の設置に対応して、適切な設計及び工事費積算を行うことができるとは言い難かった。
【０００８】
すなわち、トンネル工事等に伴う電気仮設備の設置では、トンネル工事の諸元、電力負荷リスト、負荷リスト集計、負荷曲線、変圧器容量、配線系統図、電気工事諸元、受電引込設備、受電設備、配電設備、照明設備、通信設備、配線系統図、機器・材料等のように、電気仮設備に特有なデータに基づく設計及び工事費積算が必要となり、汎用的な工事費積算システムでは、これらのデータの全てに対応することはできない。
【０００９】
この点、本発明の発明者は、長年の実績により、工事用電気仮設備の設置に対応して、設計に関するデータおよび工事費に関するデータを系統別、数値別に分類して蓄積している。そこで、本発明の発明者は、このような過去の実績データを用いることにより、工事電気仮設備の設置に対応して、迅速かつ的確に設計及び工事費積算を行うことができることに着目した。
【００１０】
本発明は、上述した問題点を解決するために創案されたものである。すなわち本発明の目的は、トンネル工事等に伴い設置する電気仮設備に対応して、迅速かつ的確に設計及び工事費積算を行うことができる工事用電気仮設備の設計及び工事費積算システムを提供することにある。
【課題を解決するための手段】
【００１１】
本発明によれば、工事用電気仮設備の設計及び工事費積算を行うシステムであって、工事用電気仮設備の設計実績に関するデータを系統別、数値別に分類して格納した設計マニュアルデータベース（３１）と、工事用電気仮設備の工事費に関するデータを系統別、数値別に分類して格納した工事費積算データベース（３２）と、工事対象となる工事用電気仮設備に関する諸条件を入力する入力手段（２１）と、前記入力手段（２１）により入力された諸条件に基づいて、前記設計マニュアルデータベース（３１）及び前記工事費積算データベース（３２）を参照して、工事用電気仮設備の設計を行って工事費を積算する設計積算手段（２２）と、前記設計積算手段（２２）により設計積算された工事用電気仮設備に関するデータを出力する出力手段（２３）と、を備えたことを特徴とする工事用電気仮設備の設計及び工事費積算システムが提供される。
【００１２】
また、前記設計積算手段（２２）により設計積算された工事用電気仮設備に関するデータを格納する設計積算データベース（３３）を備えることが好ましい。
また、前記設計マニュアルデータベース（３１）には、少なくとも、負荷リスト集計、負荷曲線、変圧器容量、配線系統図、電気工事諸元、受電引込設備、受電設備、配電設備、照明設備、通信設備、配線系統図に関するデータがそれぞれ分類して格納され、前記工事費積算データベース（３２）には、少なくとも、機器・材料、単価に関するデータがそれぞれ分類して格納されていることが好ましい。
【００１３】
また、前記入力手段（２１）により入力される諸条件は、工事用電気仮設備に関するスケジュールデータを含み、前記設計積算手段（２２）は、前記スケジュールデータに基づき、工事進行に伴い必要となる機材のみを対象として工事用電気仮設備の設計積算を行うことが好ましい。
【００１４】
また、前記入力手段（２１）により入力される諸条件は、工事用電気仮設備に関するＣＡＤデータを含み、前記設計積算手段（２２）は、前記ＣＡＤデータに基づき、工事用電気仮設備の設計積算を行うことが好ましい。
【００１５】
また、前記設計積算手段（２２）により設計積算された工事用電気仮設備に関するデータと、前記設計マニュアルデータベース（３１）に格納された過去の設計実績に関するデータとを比較し、工事に必要な機器、備品等の設備の選定漏れを確認する選定設備確認手段（４１）を備えることが好ましい。
【発明の効果】
【００１６】
本発明の工事用電気仮設備の設計及び工事費積算システム（１０）では、入力手段（２１）により入力された諸条件に基づいて、設計マニュアルデータベース（３１）及び工事費積算データベース（３２）を参照し、工事用電気仮設備の設計を行い工事費が積算されるので、トンネル工事等に伴い設置される電気仮設備の設計及び工事費積算に関して経験が浅い初心者であっても、迅速かつ的確に設計及び工事費積算を行うことができる。
【００１７】
また、設計積算された工事用電気仮設備に関するデータを設計積算データベース（３３）に格納することにより、当該データを他の設計者と共有することができ、他の工事において、さらに迅速かつ的確に設計及び工事費積算を行うことができる。
【００１８】
また、トンネル工事等に伴い設置される電気仮設備に関して必要となるデータとして、設計マニュアルデータベース（３１）に、土木工事緒元、電力負荷リスト、負荷リスト集計、負荷曲線、変圧器容量、配線系統図、電気工事諸元、受電引込設備、受電設備、配電設備、照明設備、通信設備、配線系統図に関するデータを分類して格納するとともに、工事費積算データベース（３２）に、機器・材料、単価に関するデータを分類して格納することにより、設計及び工事費積算の精度を高めることができる。
【００１９】
また、工事用電気仮設備に関するスケジュールデータに基づき、工事進行に伴い必要となる機材のみを対象として工事用電気仮設備の設計積算を行うことにより、工事の進行が円滑に行われるとともに、コストを低減化することができる。
また、工事用電気仮設備に関するＣＡＤデータに基づき、工事用電気仮設備の設計積算を行うことにより、必要となる設備の選定漏れを確実に防止することができるとともに、さらに迅速かつ的確に設計及び工事費積算を行うことができる。
【００２０】
また、設計積算された工事用電気仮設備に関するデータと、設計マニュアルデータベース（３１）に格納された過去の設計実績に関するデータとを比較し、工事に必要な機器、備品等の設備の選定漏れを確認することにより、必要項目を見落とすおそれがなくなり、より確実に設計及び工事費積算を行うことができる。さらに、設備の選定漏れに関する情報を蓄積することにより、工事用電気仮設備の設計及び工事費積算に関する教育システムを開発する等、将来における設計及び工事費積算の精度をさらに高めることができる。
【発明を実施するための最良の形態】
【００２１】
本発明の工事用電気仮設備の設計及び工事費積算システムは、例えばトンネル工事に伴い設置する電気仮設備の設計及び工事費積算を行うためのシステムであり、入力手段により入力された諸条件に基づいて、設計マニュアルデータベース及び工事費積算データベースを参照し、工事用電気仮設備の設計を行い工事費を積算するようになっている。
【００２２】
設計及び工事費積算に用いるデータは、例えば、土木工事緒元、電力負荷リスト、負荷リスト集計、負荷曲線、変圧器容量、配線系統図、電気工事諸元、受電引込設備、受電設備、配電設備、照明設備、通信設備、配線系統図、機器・材料等に関するデータである。
【実施例１】
【００２３】
以下、本発明の好ましい実施の形態を図面を参照して説明する。
図１は、実施例１の工事用電気仮設備の設計及び工事費積算システムの概略構成を示すブロック図である。
【００２４】
図１に示すように、実施例１の工事用電気仮設備の設計及び工事費積算システム１０は、入力手段２１、設計積算手段２２、出力手段２３、設計マニュアルデータベース３１、工事費積算データベース３２、および設計積算データベース３３を主な構成要素としている。
【００２５】
実施例１の工事用電気仮設備の設計及び工事費積算システム１０を構成する各手段は、コンピュータおよびその周辺機器が所定のプログラムに従って動作することにより構築される。また、実施例１の工事用電気仮設備の設計及び工事費積算システム１０を構成する各データベースは、例えばハードディスク記憶装置等の記憶手段により構築される（実施例２においても同様）。
【００２６】
設計マニュアルデータベース３１は、工事用電気仮設備の設計実績に関するデータを系統別、数値別に分類して格納したデータベースである。この設計マニュアルデータベース３１に分類して格納されているデータは、例えば負荷リスト集計、負荷曲線、変圧器容量、配線系統図、電気工事諸元、受電引込設備、受電設備、配電設備、照明設備、通信設備、配線系統図等に関するデータとなっている。
【００２７】
負荷リスト集計データは、電力負荷に関する動力、照明区分、負荷名称、負荷出力、台数、設置場所（例えば坑内、坑外）、使用期間等に関するデータを、電源区分方針に基づき集計したデータである。電源は、例えば、高圧３．３ＫＶのＡ電源、低圧４４０ＶのＢ電源、低圧２２０ＶのＣ電源、２１０〜１０５ＶのＤ電源に区分される。
負荷曲線データとは、負荷リスト集計表に基づいて作成されるデータであり、電源区分毎のデータと全合計最大出力に関するデータとからなる。
【００２８】
変圧器容量データは、Ａ電源、Ｂ電源、Ｃ電源、及びＤ電源にそれぞれ対応して算出されるデータであり、各変圧器容量と全変圧器合計容量に関するデータとからなる。
配線系統図データは、電力会社の６．６ＫＶ配電線より引き込みを行う際の配線系統に関するデータであり、例えば、受電引き込み線、受変電盤、電源区分毎に配設される受電キュービクル、坑内配電等に関するデータからなる。
電気工事諸元データは、受電設備を設置する場所、敷地面積、ケーブル等に関するデータである。
【００２９】
受電引込設備データは、受電線の引き込み方法に関するデータであり、例えば、分岐柱、分岐開閉器、区分開閉器、受電線、断路器等に関するデータからなる。
受電設備データは、開放型あるいはキュービクル型、屋外型あるいは屋内型、閉鎖型あるいは遮閉型等に関するデータである。
配電設備データは、ケーブル種別、ケーブルサイズ、低圧分電盤、ケーブル配線等に関するデータである。
照明設備データは、光源の種類、照度、設置場所等に関するデータである。
【００３０】
通信設備データは、事務所、中央管理室、協力会社、坑内連絡用等に使用する通信設備等に関するデータである。
配線系統図データは、引込設備、受電盤、電源区分毎のキュービクル、分電盤、通信回路等の配線系統に関するデータである。
【００３１】
工事費積算データベース３２は、工事用電気仮設備の工事費に関するデータを系統別、数値別に分類して格納したデータベースである。この工事費積算データベース３２に格納されるデータは、例えば、機器・材料、単価等に関するデータとなっている。
機器・材料データとは、電気仮設備に使用される機器および材料等に関するデータである。
単価データは、電気仮設備に使用される機器および材料、機器の償却費、据付費、撤去費、運搬費、機器損料等に関するデータである。
【００３２】
なお、設計マニュアルデータベース３１及び工事費積算データベース３２に格納するデータは、工事用電気仮設備の設置を行う事業者の規模、事業内容、運用基準等に合わせて適宜変更して設定することができる。
【００３３】
設計積算手段２２は、設計マニュアルデータベース３１及び工事費積算データベース３２を参照して、工事用電気仮設備の設計を行って工事費を積算するための手段である。
【００３４】
入力手段２１は、例えばキーボードおよびマウス等からなり、設置対象となる工事用電気仮設備に関する各種の情報を入力する際に使用される。この入力手段２１により入力する情報は、例えば、工事用電気仮設備の設置を行うトンネル工事に関する情報であって、トンネル工事の工期、トンネルの断面積及び亘長、使用する機器およびその配置、掘削方法、スケジュールデータ等に関する情報である。
【００３５】
また、工事用電気仮設備に関するＣＡＤデータを取り込み可能とし、取り込んだＣＡＤデータに基づき、工事用電気仮設備の設計積算を行うような構成とすることが好ましい。この場合、入力手段２１は、例えば、工事用電気仮設備の設計及び工事費積算システム１０を構成するコンピュータに接続されたデータ読込装置により構成することができる。なお、データ読込装置とは、例えば、フレキシブルディスク、ＣＤ−ＲＯＭ、ＤＶＤ、ＭＯ等の記録媒体に記録されたデータを読み込むことができる機器のことをいう。また、インターネット等の電気通信回線を介して、工事用電気仮設備の設計及び工事費積算システム１０を構成するコンピュータにＣＡＤデータを取り込む構成としてもよい。
【００３６】
出力手段２３は、例えばＣＲＴ表示器または液晶表示器等の表示器や、プリンタ等の印刷装置からなり、設計積算手段２２における積算結果を表示したり、印刷することができる。
【００３７】
図２及び図３は、実施例１の工事用電気仮設備の設計及び工事費積算システム１０を用いて工事用電気仮設備の設計及び工事費積算を行う手順を示すフローチャートである。
図２及び図３に示すように、実施例１の工事用電気仮設備の設計及び工事費積算システム１０を用いて行う工事用電気仮設備の設計及び工事費積算処理は、設計処理（図２参照）と工事費積算処理（図３参照）とに大別することができる。
【００３８】
設計処理では、図２に示すように、まず、入力手段２１により、設置対象となる電気仮設備に関する諸条件を入力する。この諸条件の入力処理では、工事諸元データの入力が行われるとともに（Ｓ１）、負荷リストデータの入力が行われる（Ｓ２）。
工事緒元データの入力処理で入力されるデータは、例えば、トンネル工事の工期、トンネルの断面積及び亘長、使用する機器およびその配置、掘削方法、スケジュールデータ等に関するデータである。
【００３９】
また、負荷リストデータの入力処理で入力されるデータは、例えば、電力負荷に関する動力、照明区分、負荷名称、負荷出力、台数、設置場所（坑内、坑外）、使用期間等に関するデータである。
【００４０】
諸条件の入力が終了すると、設計積算手段２２による設計処理が行われる。この設計処理では、変圧器容量が決定され（Ｓ３）、続いて配線系統図が決定される（Ｓ４）。
決定される変圧器容量とは、例えば、Ａ電源、Ｂ電源、Ｃ電源、Ｄ電源に関する各変圧器容量と、これらを合計した全変圧器合計容量のことである。
また、決定される配線系統図とは、例えば、引込設備、受電盤、電源区分毎のキュービクル、分電盤、通信回路等の配線系統を纏めたものである。
【００４１】
設計処理が終了すると、工事費積算処理が行われる。
この工事費積算処理では、図３に示すように、まず、入力手段２１により、設計処理で設計された電気仮設備に関する諸条件を入力する。この諸条件の入力処理では、機器・材料に関するデータの入力が行われるとともに（Ｓ１１）、単価表に関するデータの入力が行われる（Ｓ１２）。
【００４２】
機器・材料に関するデータとは、例えば、工事用電気仮設備に使用される機器および材料に関するデータのことであり、単価表に関するデータとは、例えば、工事用電気仮設備に使用される機器および材料、機器の償却費、据付費、撤去費、運搬費、機器損料等に関するデータのことである。
【００４３】
諸条件の入力が終了すると、設計積算手段２２による工事費積算処理が行われ、工事用電気仮設備の設置工事に必要な工事費が算出される（Ｓ１３）。
このように、実施例１の工事用電気仮設備の設計及び工事費積算システム１０では、入力手段２１により入力された諸条件に基づいて、設計マニュアルデータベース３１及び工事費積算データベース３２を参照し、工事用電気仮設備の設計を行うとともに工事費が積算される。
【００４４】
したがって、トンネル工事に伴い設置される工事用電気仮設備の設計及び工事費積算が自動化されるので、工事用電気仮設備の設計及び工事費積算を的確かつ迅速に行うことができるばかりでなく、経験の浅い初心者であっても、熟練者と同様な設計及び工事費積算を行うことができる。
【実施例２】
【００４５】
図４は、実施例２の工事用電気仮設備の設計及び工事費積算システムの概略構成を示すブロック図である。
実施例２の工事用電気仮設備の設計及び工事費積算システム１１０は、図４に示すように、上述した実施例１の工事用電気仮設備の設計及び工事費積算システム１０の構成要素に対して、選定設備確認手段４１を付加した構成となっている。
【００４６】
以下、図１に示す実施例１の工事用電気仮設備の設計及び工事費積算システム１０と同様の構成要素に対しては同一の符号を付して詳細な説明を省略し、実施例１の工事用電気仮設備の設計及び工事費積算システム１０と相違する構成要素についてのみ説明する。
【００４７】
選定設備確認手段４１は、設計積算手段２２により設計積算された工事用電気仮設備に関するデータと、設計マニュアルデータベース３１に格納された過去の設計実績に関するデータとを比較し、工事に必要な機器、備品等の設備の選定漏れを確認するための手段である。
【００４８】
この選定設備確認手段４１による設備確認処理は、上述した実施例１の工事用電気仮設備の設計及び工事費積算システム１０を用いた工事用電気仮設備の設計及び工事費積算処理とは、別の処理として行ってもよいが、設備の選定漏れを未然に防止するという観点から、設計処理の最終段階で行うことが好ましい。
【００４９】
このように、実施例２の工事用電気仮設備の設計及び工事費積算システム１１０では、工事に必要な機器、備品等の設備の選定漏れを確認することにより、必要項目を見落とすおそれがなくなり、工事用電気仮設備の設計及び工事費積算を一層確実に行うことができる。これに伴い、工事途中で必要な機器が設置されていなかったり、反対に必要ではない機器が設置されていたりという不都合がなくなり、工事費用の適正化を図ることができるとともに、工期の短縮を図ることができる。
【００５０】
さらに、設備の選定漏れに関する情報を蓄積することにより、工事用電気仮設備の設計及び工事費積算に関する教育システムを開発することができ、将来における設計及び工事費積算の精度をさらに高めることができる。
【産業上の利用可能性】
【００５１】
本発明の工事用電気仮設備の設計及び工事費積算システム１０、１１０は、主に、トンネル工事に伴い設置される工事用電気仮設備の設計及び工事費積算に利用されるが、その他、電気仮設備の設置が必要な土木工事の設計及び工事費積算処理においても利用することができる。
【図面の簡単な説明】
【００５２】
【図１】実施例１の工事用電気仮設備の設計及び工事費積算システムの概略構成を示すブロック図である。
【図２】実施例１の工事用電気仮設備の設計及び工事費積算システムを用いた設計処理の手順を示すフローチャートである。
【図３】実施例１の工事用電気仮設備の設計及び工事費積算システムを用いた工事費積算処理の手順を示すフローチャートである。
【図４】実施例２の工事用電気仮設備の設計及び工事費積算システムの概略構成を示すブロック図である。
【符号の説明】
【００５３】
１０  工事用電気仮設備の設計及び工事費積算システム（実施例１）
２１  入力手段
２２  設計積算手段
２３  出力手段
３１  設計マニュアルデータベース
３２  工事費積算データベース
３３  設計積算データベース
４１  選定設備確認手段
１１０  工事用電気仮設備の設計及び工事費積算システム（実施例２）
【図１】
2007034346.tif 000003
【図２】
2007034346.tif 000004
【図３】
2007034346.tif 000005
【図４】
2007034346.tif 000006